(57)【要約】【課題】生体が電極と接触する場合、生体の乾燥状態を改善させ、生体情報の検出精度を向上させる生体情報測定装置を提供する。【解決手段】心電計１００は、生体に接する複数の電極を有し、複数の電極から生体に関する電気信号を取得する信号検出部と、複数の電極の少なくとも１つを加熱する加熱部と、信号検出部が検出した電気信号に基づいて加熱部による加熱を制御し、電気信号を解析して生体の生体情報を導出する制御部１５０と、を備える。【選択図】図２
2018023482.tif 000002
【特許請求の範囲】
【請求項１】
生体に接する複数の電極を有し、前記複数の電極から前記生体に関する電気信号を取得する信号検出部と、
前記複数の電極の少なくとも１つを加熱する加熱部と、
前記信号検出部が検出した前記電気信号に基づいて前記加熱部による加熱を制御し、前記電気信号を解析して前記生体の生体情報を導出する制御部と、を備えることを特徴とする生体情報測定装置。
【請求項２】
請求項１に記載の生体情報測定装置において、
前記加熱部により加熱される前記電極の温度を検出する温度検出部を備えることを特徴とする生体情報測定装置。
【請求項３】
請求項２に記載の生体情報測定装置において、
前記制御部は、前記温度検出部が検出した前記電極の温度の情報に基づいて、前記加熱による前記電極の温度上昇を制御することを特徴とする生体情報測定装置。
【請求項４】
請求項３に記載の生体情報測定装置において、
前記制御部は、前記電極の温度が基準温度を越えないように制御することを特徴とする生体情報測定装置。
【請求項５】
請求項１乃至４のいずれか１項に記載の生体情報測定装置において、
前記制御部は、前記電気信号に基づいて前記電気信号による波形の振幅およびＳ／Ｎ比の少なくとも１つを算出し、算出した結果に基づいて前記加熱部に前記加熱を指示することを特徴とする生体情報測定装置。
【請求項６】
請求項５に記載の生体情報測定装置において、
前記制御部は、前記波形の振幅が第１の基準値よりも小さい場合、前記加熱部に対して前記加熱を指示することを特徴とする生体情報測定装置。
【請求項７】
請求項５に記載の生体情報測定装置において、
前記制御部は、前記Ｓ／Ｎ比が第２の基準値よりも小さい場合、前記加熱部に対して前記加熱を指示することを特徴とする生体情報測定装置。
【請求項８】
請求項１乃至４のいずれか１項に記載の生体情報測定装置において、
湿度に関する湿度情報を検出する湿度検出部を備え、
前記制御部は、前記湿度情報に基づいて前記加熱部に対して前記加熱を指示することを特徴とする生体情報測定装置。
【請求項９】
請求項１乃至８のいずれか１項に記載の生体情報測定装置において、
前記複数の電極の少なくとも１つは、測定時に前記生体を密着させることにより前記生体と導通する開放電極であり、
前記加熱部は前記開放電極を加熱することを特徴とする生体情報測定装置。
【請求項１０】
請求項１乃至９のいずれか１項に記載の生体情報測定装置において、
前記生体情報は、心電波形、心拍数、心拍変動、心拍間隔、皮膚湿度および生体インピーダンスの少なくとも１つであることを特徴とする生体情報測定装置。
【請求項１１】
生体に接する複数の電極を有し、前記複数の電極から前記生体に関する電気信号を取得し、前記電気信号に基づいて前記複数の電極の少なくとも１つを加熱し、加熱した前記電極から取得した前記電気信号を解析して前記生体の生体情報を導出することを特徴とする生体情報測定方法。
【請求項１２】
生体に接する複数の電極を有し、前記複数の電極から前記生体に関する電気信号を取得する機能と、前記電気信号に基づいて前記複数の電極の少なくとも１つを加熱する機能と、加熱した前記電極から取得した前記電気信号を解析して前記生体の生体情報を導出する機能と、をコンピューターに実行させることを特徴とする生体情報測定プログラム。
【発明の詳細な説明】
【技術分野】
【０００１】
本発明は、生体情報測定装置、生体情報測定方法および生体情報測定プログラムに関する。
【背景技術】
【０００２】
従来、心電信号や生体インピーダンスなどの生体情報を検出する生体情報検出装置は、生体と電気的な接続が必要不可欠であり、臨床検査等においては電極を必要な個所の生体の表面に貼り付けるなどして固定し、生体に貼付した電極を介して生体と生体情報検出装置との間の電気的な接続（導通）を図っている。
例えば、下記特許文献１では、検出時の生体の姿勢を安定させるために、電極を傾斜して配置することで、不安定な姿勢により発生するノイズを低減し、電極から出力される電気信号を安定させる生体情報測定装置が提案されている。
【先行技術文献】
【特許文献】
【０００３】
【特許文献１】特開２００３−３２５４６８号公報
【発明の概要】
【発明が解決しようとする課題】
【０００４】
しかしながら、安定した姿勢で生体が電極に接触した場合であっても、生体の皮膚面が乾燥している状態では、電極と生体との接触抵抗が高くなり、検出した電気信号の振幅が小さくなったり、ノイズが混入したりして、生体情報を正しく取得できないという問題があった。
本発明は、上述の課題に鑑みてなされたものであり、生体を電極に接触させる場合に、生体の乾燥状態を改善させ、生体情報の検出精度を向上させることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる生体情報測定装置は、生体に接する複数の電極を有し、前記複数の電極から前記生体に関する電気信号を取得する信号検出部と、前記複数の電極の少なくとも１つを加熱する加熱部と、前記信号検出部が検出した前記電気信号に基づいて前記加熱部による加熱を制御し、前記電気信号を解析して前記生体の生体情報を導出する制御部と、を備えることを特徴とする。
【０００７】
このような構成によれば、生体が接した複数の電極から検出した電気信号に基づいて複数の電極の少なくとも１つを加熱し、検出した電気信号を解析して生体の生体情報を導出する。従って、検出した電気信号が生体の乾燥を示す場合に、電極を加熱することで生体に発汗を促して生体の乾燥状態を回避するため、検出する電気信号の安定化を図り、生体情報の検出精度を向上させることができる。
【０００８】
［適用例２］
上記適用例にかかる生体情報測定装置において、前記加熱部により加熱される前記電極の温度を検出する温度検出部を備えることが好ましい。
【０００９】
このような構成によれば、加熱部により加熱される電極の温度に関する情報を取得できる。
【００１０】
［適用例３］
上記適用例にかかる生体情報測定装置において、前記制御部は、前記温度検出部が検出した前記電極の温度の情報に基づいて、前記加熱による前記電極の温度上昇を制御することが好ましい。
【００１１】
このような構成によれば、温度検出部が検出した電極の温度の情報に基づいて、加熱による電極の温度上昇を制御できる。
【００１２】
［適用例４］
上記適用例にかかる生体情報測定装置において、前記制御部は、前記電極の温度が基準温度を越えないように制御することが好ましい。
【００１３】
このような構成によれば、電極の温度が基準温度を越えないように制御することで、生体に対する過熱を抑制できる。
【００１４】
［適用例５］
上記適用例にかかる生体情報測定装置において、前記制御部は、前記電気信号に基づいて前記電気信号による波形の振幅およびＳ／Ｎ比の少なくとも１つを算出し、算出した結果に基づいて前記加熱部に前記加熱を指示することが好ましい。
【００１５】
このような構成によれば、電気信号による波形の振幅およびＳ／Ｎ比の少なくとも１つに基づいて加熱を指示するため、電気信号に基づいて加熱部による加熱を制御できる。
【００１６】
［適用例６］
上記適用例にかかる生体情報測定装置において、前記制御部は、前記波形の振幅が第１の基準値よりも小さい場合、前記加熱部に対して前記加熱を指示することが好ましい。
【００１７】
このような構成によれば、電極と生体との接触抵抗が高い場合に加熱することで、生体の乾燥状態を的確に回避し、測定効率の向上を図れる。
【００１８】
［適用例７］
上記適用例にかかる生体情報測定装置において、前記制御部は、前記Ｓ／Ｎ比が第２の基準値よりも小さい場合、前記加熱部に対して前記加熱を指示することが好ましい。
【００１９】
このような構成によれば、電極と生体との接触抵抗が高い場合、加熱部により加熱されることで、生体の乾燥状態を的確に回避し、測定効率の向上を図れる。
【００２０】
［適用例８］
上記適用例にかかる生体情報測定装置において、湿度に関する湿度情報を検出する湿度検出部を備え、前記制御部は、前記湿度情報に基づいて前記加熱部に対して前記加熱を指示することが好ましい。
【００２１】
このような構成によれば、湿度情報に基づいて加熱部による加熱が指示されるため、生体の乾燥状態を精度良く判定できる。
【００２２】
［適用例９］
上記適用例にかかる生体情報測定装置において、前記複数の電極の少なくとも１つは、測定時に前記生体を密着させることにより前記生体と導通する開放電極であり、前記加熱部は前記開放電極を加熱することが好ましい。
【００２３】
このような構成によれば、測定時に生体を密着させることにより生体と導通する開放電極を加熱するため、乾燥している生体の乾燥状態を効率的に改善できる。
【００２４】
［適用例１０］
上記適用例にかかる生体情報測定装置において、前記生体情報は、心電波形、心拍数、心拍変動、心拍間隔、皮膚湿度および生体インピーダンスの少なくとも１つであっても良い。
【００２５】
［適用例１１］
本適用例にかかる生体情報測定方法は、生体に接する複数の電極を有し、前記複数の電極から前記生体に関する電気信号を取得し、前記電気信号に基づいて前記複数の電極の少なくとも１つを加熱し、加熱した前記電極から取得した前記電気信号を解析して前記生体の生体情報を導出することを特徴とする。
【００２６】
このような方法によれば、生体が接した複数の電極から検出した電気信号に基づいて複数の電極の少なくとも１つを加熱し、検出した電気信号を解析して生体の生体情報を導出する。従って、検出した電気信号が生体の乾燥を示す場合に、電極を加熱することで生体に発汗を促して生体の乾燥状態を回避するため、検出する電気信号の安定化を図り、生体情報の検出精度を向上させることができる。
【００２７】
［適用例１２］
本適用例にかかる生体情報測定プログラムは、生体に接する複数の電極を有し、前記複数の電極から前記生体に関する電気信号を取得する機能と、前記電気信号に基づいて前記複数の電極の少なくとも１つを加熱する機能と、加熱した前記電極から取得した前記電気信号を解析して前記生体の生体情報を導出する機能と、をコンピューターに実行させることを特徴とする。
【００２８】
このような構成によれば、生体が接した複数の電極から検出した電気信号に基づいて複数の電極の少なくとも１つを加熱し、検出した電気信号を解析して生体の生体情報を導出する。従って、検出した電気信号が生体の乾燥を示す場合に、電極を加熱することで生体に発汗を促して生体の乾燥状態を回避するため、検出する電気信号の安定化を図り、生体情報の検出精度を向上させることができる。
【図面の簡単な説明】
【００２９】
【図１】実施形態１に係る心電計の外観図。
【図２】実施形態１に係る心電計の機能構成を示すブロック図。
【図３】実施形態１において生体情報を計測する処理の流れを示すフローチャート。
【図４】実施形態２に係る心電計の機能構成を示すブロック図。
【図５】実施形態２において生体情報を計測する処理の流れを示すフローチャート。
【発明を実施するための形態】
【００３０】
以下、本発明の実施形態について図面を参照して説明する。
【００３１】
（実施形態１）
図１は、生体情報測定装置の１つである心電計１００の外観図である。この心電計１００は、腕時計の態様であり、バンド４１により心電計１００を人物（生体）の腕部に装着して使用される。
心電計１００の一方の面（表面）には、時刻情報や生体情報を表示するための表示パネル４２が配置されている。また、表示パネル４２の下部には、生体情報を計測するための第２電極４５および温度センサー４７が配置されている。第２電極４５は、非測定時には生体とは接触せずに開放され、測定時に生体を密着させることにより生体と導通する開放電極である。第２電極４５は、心電計１００を装着した一方の腕部（例えば左腕）とは異なる他方の腕部（右腕）の手指が接触できるような位置に配置されている。尚、周知のように、人体の手指等を電極に接触させて電気信号を検出する場合、手指等が乾燥した状態であると、電極との接触抵抗が高くなり、電気信号の振幅が増大したり、ノイズが混入したりして、電気信号の信頼性が低下することが知られている。
【００３２】
また、心電計１００の側面には、心電計１００にユーザーが指示するための操作ボタン４３Ａ〜４３Ｄが配置されている。ユーザーは、操作ボタン４３Ａ〜４３Ｄの少なくとも１つを押下することで、生体情報の計測開始や計測終了、計測する生体情報の設定、計測結果の出力設定等を指示できる。
また、心電計１００の他方の面（裏面）には、第１電極４８Ａ、不関電極４８Ｂおよび温度センサー４９が配置されている。第１電極４８Ａおよび不関電極４８Ｂは、心電計１００が一方の腕部に装着された場合に、一方の腕部の皮膚面に密着するように配置されている。
【００３３】
また、第１電極４８Ａおよび不関電極４８Ｂの近傍には加熱素子４６Ａが配置され、第２電極４５の近傍には加熱素子４６Ｂが配置されている。加熱素子４６Ａおよび加熱素子４６Ｂは、ペルチェ素子や抵抗器のような素子を想定する。
温度センサー４７は第２電極４５および加熱素子４６Ｂの温度を検出し、温度センサー４９は第１電極４８Ａおよび不関電極４８Ｂの温度を検出する。
心電計１００は、計測時に温度センサー４９の検出結果に応じて加熱素子４６Ａを加熱し、温度センサー４７の検出結果に応じて加熱素子４６Ｂを加熱するように構成されている。
図２は、心電計１００の機能構成を示すブロック図である。心電計１００は、第１電極部１１０、不関電極部１２０、第２電極部１３０、信号調整部１４０、信号変換部１４５、制御部１５０、操作部１６０、記憶部１６２、表示部１６６および通信部１６４を備える。
【００３４】
第１電極部１１０は、第１電極４８Ａを含む第１信号検出部１１２、加熱素子４６Ａを含む加熱部１１４および温度センサー４９を含む温度検出部１１６を備える。
第１信号検出部１１２は、第１電極４８Ａが一方の腕部の皮膚面から検出した電気信号（心電信号）を信号調整部１４０に送る。また、加熱部１１４は、制御部１５０から送られる加熱指示に基づいて、加熱素子４６Ａに電圧を印加する。また、温度検出部１１６は、温度センサー４９が検出した温度を示す温度データを制御部１５０に送る。
【００３５】
また、不関電極部１２０は、基準電位となる不関電極４８Ｂを含む基準電位検出部１２２、加熱素子４６Ａを含む加熱部１２４および温度センサー４９を含む温度検出部１２６を備える。
基準電位検出部１２２は、不関電極４８Ｂが一方の腕部の皮膚面から検出した電位信号を信号調整部１４０に送る。また、加熱部１２４は、制御部１５０から送られる加熱指示に基づいて、加熱素子４６Ａに電圧を印加する。また、温度検出部１２６は、温度センサー４９が検出した温度データを制御部１５０に送る。
本実施形態１では、加熱部１１４および加熱部１２４は同一の加熱素子４６Ａを使用し、温度検出部１１６および温度検出部１２６は同一の温度センサー４９を使用したが、これらには限定されず、加熱素子４６Ａおよび温度センサー４９を個々に備えた構成も想定できる。また、第１電極４８Ａが不関電極４８Ｂを兼ねた構成も想定できる。
【００３６】
第２電極部１３０は、第２電極４５を含む第２信号検出部１３２、加熱素子４６Ｂを含む加熱部１３４および温度センサー４７を含む温度検出部１３６を備える。
第２信号検出部１３２は、第２電極４５が他方の腕部の手指から検出した心電信号を信号調整部１４０に送る。また、加熱部１３４は、制御部１５０から送られる加熱指示に基づいて、加熱素子４６Ｂに電圧を印加する。また、温度検出部１３６は、温度センサー４７が検出した温度を示す温度データを制御部１５０に送る。
信号調整部１４０は、第１信号検出部１１２および第２信号検出部１３２から送られる心電信号、並びに、基準電位検出部１２２から送られる電位信号を調整する。本実施形態１では、信号調整部１４０はアナログフロントエンド（ＡＦＥ）回路を想定する。即ち、心電信号および電位信号はアナログ信号であり、微弱であることに加え、雑音成分を多く含むため、ＡＦＥ回路がアナログ信号を調整する。調整したアナログ信号は、信号変換部１４５に送られる。
【００３７】
信号変換部１４５は、信号調整部１４０から送られるアナログ信号をデジタル信号に変換する。本実施形態１では、信号変換部１４５は、Ａ／Ｄ変換回路を想定する。信号変換部１４５によりデジタル信号に変換された心電信号の心電データ、および、電位信号の電位データは、制御部１５０に送られる。
操作部１６０は、ユーザーによる操作を受け付け、受け付けた操作に応じた信号を制御部１５０に送る。本実施形態１では、操作部１６０は操作ボタン４３Ａ〜４３Ｄが相当する。
【００３８】
記憶部１６２は、ハードウェアとしてフラッシュメモリー等を想定し、制御部１５０が処理する種々のデータや、生体情報測定プログラム等のアプリケーションを記憶する。
表示部１６６は、制御部１５０で生成される画像を表示する。尚、本実施形態１では、表示部１６６は表示パネル４２が相当する。
通信部１６４は、他の情報処理装置と通信したり、ネットワークを介して外部のサーバー装置等と通信したりする。本実施形態１では、無線通信の方式はブルートゥース（Bluetooth（登録商標））を想定するが、これには限定されない。
【００３９】
制御部１５０は、何れも図示を略したＣＰＵ、ＣＰＵが実行する基本制御プログラム等を記憶したＲＯＭ、および、ＣＰＵが実行するプログラムやＣＰＵが処理するデータ等を一時的に格納するＲＡＭ等や、コンピューターとして機能するプロセッサーにより実現され、心電計１００の各機能部の動作を制御する。
本実施形態１では、制御部１５０は、信号変換部１４５から送られる心電データおよび電位データを取得し、これらのデータを解析して生体情報を導出する。生体情報としては、心電波形、心拍数、心拍変動、心拍間隔、皮膚湿度および生体インピーダンス等を想定する。また、生体情報として、生体インピーダンスから取得する体脂肪率や発汗度合を含めても良い。
【００４０】
制御部１５０は、導出した生体情報に基づいて解析結果画像を生成し、解析結果画像を表示部１６６に表示させたり、解析結果画像を記憶部１６２に記憶させたり、解析結果画像のデータを通信部１６４から外部に送信させたりする。尚、電極から検出した心電データに基づいて心電波形のような生体情報を導出する技術は、例えば、特開２０１１−１４７５８３号公報に開示されている技術を適用できる。
また、制御部１５０は、生体情報を導出するために心電信号の検出を開始した場合、取得した心電データおよび電位データに基づいて、心電信号の時系列波形における振幅、および信号量とノイズ量の割合を示すＳ／Ｎ比を算出する。そして、制御部１５０は、算出した振幅やＳ／Ｎ比に基づいて、第１電極４８Ａ、不関電極４８Ｂおよび第２電極４５と接触する手指や腕部の乾燥状態を判定する。本実施形態１では、制御部１５０は、算出した振幅が第１の基準値以下である場合、およびＳ／Ｎ比が第２の基準値以下である場合の少なくとも何れかである場合、手指や腕部が乾燥していると判定し、加熱部１１４，１２４，１３４に加熱指示を送る。
【００４１】
この場合、制御部１５０は、温度検出部１１６，１２６，１３６から送られる温度データに基づいて加熱部１１４，１２４，１３４による温度上昇をそれぞれ制御する。制御部１５０は、基準温度（例えば、低温やけどを回避できると言われる４３℃）を越えないように加熱指示を制御する。このような制御方法として、周知のフィードバック制御技術であるＰＩＤ制御を採用できる。これにより、オーバーシュートによって基準温度を越えることによる低温やけどを回避できる。
加熱部１１４，１２４，１３４が手指や腕部を加熱して暖めることにより、加熱する領域での発汗が促される。これにより、腕部や手指の乾燥状態が回避される。
【００４２】
図３は、制御部１５０が計測により生体情報を計測する生体情報測定方法の処理の流れを示すフローチャートである。
処理が開始されると、制御部１５０は、信号変換部１４５から送られる心電データを取得する（ステップＳ２００）。
次に、制御部１５０は、心電データを解析して手指や腕部の乾燥状況を判別し、第１電極４８Ａ、不関電極４８Ｂおよび第２電極４５と接触する部位の周辺を加湿すべく、加熱が必要であるか、否かを判定する（ステップＳ２０２）。
【００４３】
ここで、制御部１５０は、加熱が必要であると判定した場合（ステップＳ２０２でＹｅｓ）、加熱部１１４，１２４，１３４に対して加熱を指示し（ステップＳ２０４）、ステップＳ２０６に進む。
他方で、制御部１５０は、加熱が必要ないと判定した場合（ステップＳ２０２でＮｏ）、ステップＳ２０６に進む。
【００４４】
ステップＳ２０６では、制御部１５０は、信号変換部１４５から送られる心電データを取得する。
次に、制御部１５０は、心電データを解析し、生体情報を導出する（ステップＳ２０８）。
次に、制御部１５０は、導出した生体情報を解析結果として表示部１６６に表示する（ステップＳ２１０）。
次に、制御部１５０は、生体情報の計測を終了するか、否かを判定し（ステップＳ２１２）、終了しないと判定した場合（Ｎｏ）、ステップＳ２００に戻り、計測を繰り返す。
他方で、制御部１５０は、終了すると判定した場合（ステップＳ２１２でＹｅｓ）、一連の処理を終了する。
【００４５】
以上述べた実施形態１によれば、以下のような効果を奏する。
（１）心電信号を検出するための第１電極４８Ａ、不関電極４８Ｂおよび第２電極４５に接触する手指や腕部が乾燥している場合、手指や腕部を加熱により暖めることで、手指や腕部から適度な発汗が促される。これにより、乾燥状態が回避され、心電信号の信頼性が向上すると共に、心電信号に基づく生体情報の検出精度を改善させることができる。
（２）心電信号の振幅やＳ／Ｎ比に基づいて、手指や腕部の乾燥状態を判定するため、乾燥状態を検知するためのセンサーや回路が不要で、容易かつ安価に乾燥状態を判定できる。
【００４６】
（実施形態２）
次に、本発明の実施形態２について説明する。尚、以下の説明では、既に説明した部分と同じ部分については、同一符号を付してその説明を省略する。実施形態１では、制御部１５０は、心電信号の振幅やＳ／Ｎ比に基づいて加熱部１１４，１２４，１３４による加熱を制御したが、実施形態２では、湿度を検出し、検出した湿度に基づいて加熱部１１４，１２４，１３４による加熱を制御する。
図４は、心電計１００の機能構成を示すブロック図である。第１電極部１１０、不関電極部１２０および第２電極部１３０は、湿度検出部１１８，１２８，１３８をそれぞれ備える。
【００４７】
湿度検出部１１８，１２８，１３８は、湿度に関する湿度情報を電気信号で出力する湿度センサー（図示せず）を含む。このような湿度センサーは、例えば、高分子抵抗式、高分子容量式や酸化アルミ容量式を想定する。湿度検出部１１８，１２８，１３８が検出した湿度に関する情報は制御部１５０に送られる。
制御部１５０は、湿度検出部１１８，１２８，１３８から送られる湿度に関する情報に基づいて、第１電極４８Ａ、不関電極４８Ｂおよび第２電極４５と接触する手指や腕部の乾燥状態を判定する。本実施形態２では、制御部１５０は、湿度の値が第１基準値以下である場合、手指や腕部が乾燥していると判定し、加熱部１１４，１２４，１３４に加熱指示を送る。
【００４８】
更に、加熱部１１４，１２４，１３４により加熱されている場合、制御部１５０は、湿度の値が第２基準値以上になった場合、加熱の終了を加熱部１１４，１２４，１３４に指示する。
図５は、制御部１５０が計測により生体情報を計測する処理の流れを示すフローチャートである。
処理が開始されると、制御部１５０は、湿度検出部１１８、１２８、１３８から送られる湿度情報（湿度データ）を取得する（ステップＳ２０１）。
【００４９】
次に、制御部１５０は、湿度データを解析し、湿度が第１基準湿度以下であるか、否かを判定する（ステップＳ２０３）。本実施形態２では、第１基準湿度は４０％を想定する。
ここで、制御部１５０は、湿度が第１基準湿度以下であると判定した場合（ステップＳ２０３でＹｅｓ）、加熱部１１４，１２４，１３４に対して加熱を指示し（ステップＳ２０４）、ステップＳ２０６に進む。
他方で、制御部１５０は、湿度が第１基準湿度以下でないと判定した場合（ステップＳ２０３でＮｏ）、ステップＳ２０６に進む。
ステップＳ２０６では、制御部１５０は、信号変換部１４５から送られる心電データを取得する。
【００５０】
次に、制御部１５０は、心電データを解析し、生体情報を導出する（ステップＳ２０８）。
次に、制御部１５０は、導出した生体情報を解析結果として表示部１６６に表示する（ステップＳ２１０）。
次に、制御部１５０は、湿度検出部１１８，１２８，１３８から送られる湿度データを取得する（ステップＳ２１４）。
【００５１】
次に、制御部１５０は、湿度データを解析し、湿度が第２基準湿度以上であるか、否かを判定する（ステップＳ２１６）。本実施形態２では、第２基準湿度は８０％を想定する。
ここで、制御部１５０は、湿度が第２基準湿度以上であると判定した場合（ステップＳ２１６でＹｅｓ）、加熱部１１４，１２４，１３４に対して加熱終了を指示し（ステップＳ２１８）、ステップＳ２１２に進む。
他方で、制御部１５０は、湿度が第２基準湿度以上でないと判定した場合（ステップＳ２１６でＮｏ）、ステップＳ２１２に進む。
【００５２】
ステップＳ２１２では、制御部１５０は、生体情報の計測を終了するか、否かを判定し（ステップＳ２１２）、終了しないと判定した場合（Ｎｏ）、ステップＳ２０１に戻り、計測を繰り返す。
他方で、制御部１５０は、終了すると判定した場合（ステップＳ２１２でＹｅｓ）、一連の処理を終了する。
【００５３】
以上述べた実施形態２によれば、実施形態１で述べた効果（１）に加え、以下のような効果を奏する。
（３）手指や腕部の乾燥状態を湿度検出部１１８，１２８，１３８により判定するため、乾燥状態を正確に判定することができる。これにより、乾燥状態を回避し、心電信号の信頼性をより向上させることができる。
以上、本発明を図示した実施形態１および実施形態２に基づいて説明したが、本発明は、これらの実施形態に限定されるものではなく、以下に述べるような変形例も想定できる。
（１）手指の乾燥状態を改善する方法として、手指が接する第２電極４５を微細に振動させ、手指に伝達された運動エネルギーが熱エネルギーに変換され、手指の温度を上昇させることにより、手指からの発汗を促す態様も想定できる。
（２）心電信号の振幅やＳ／Ｎ比の条件に依らず、測定時には手指を加熱する態様も想定できる。
（３）少なくとも第２電極部１３０が加熱部１３４を有し、第１電極部１１０および不関電極部１２０は加熱部１１４，１２４や温度検出部１１６，１２６を具備しない構成も想定できる。
（４）制御部１５０が生体インピーダンスを算出し、算出した生体インピーダンスに基づいて手指や腕部の乾燥状態を判定する態様も想定できる。
また、以上のような手法を実施する装置は、単独の装置によって実現される場合もあれば、複数の装置を組み合わせることによって実現される場合もあり、各種の態様を含むものである。
【符号の説明】
【００５４】
４１…バンド、４２…表示パネル、４３Ａ〜４３Ｄ…操作ボタン、４５…第２電極、４６Ａ…加熱素子、４６Ｂ…加熱素子、４７…温度センサー、４８Ａ…第１電極、４８Ｂ…不関電極、４９…温度センサー、１００…心電計、１１０…第１電極部、１１２…第１信号検出部、１１４…加熱部、１１６…温度検出部、１１８…湿度検出部、１２０…不関電極部、１２２…基準電位検出部、１２４…加熱部、１２６…温度検出部、１２８…湿度検出部、１３０…第２電極部、１３２…第２信号検出部、１３４…加熱部、１３６…温度検出部、１３８…湿度検出部、１４０…信号調整部、１４５…信号変換部、１５０…制御部、１６０…操作部、１６２…記憶部、１６４…通信部、１６６…表示部。
【図１】
2018023482.tif 000003
【図２】
2018023482.tif 000004
【図３】
2018023482.tif 000005
【図４】
2018023482.tif 000006
【図５】
2018023482.tif 000007